(57)【要約】【課題】動物の居住空間の仕切りのゲージへの固定が確実かつ容易で、汚れた木屑の交換作業が容易な取扱い性に優れる動物用分割ゲージ蓋および動物用分割ゲージを提供する。【解決手段】本発明に関わる動物用分割ゲージ蓋３は、試験用動物の出し入れ用の開口２ａが形成され試験用動物が居住するゲージ箱２を区分けされた居住空間２Ａ、２Ｂに仕切り、該居住空間２Ａ、２Ｂ間に貫通する貫通孔４ｂ３を有する仕切り部材４と、該仕切り部材４に回転自在に接続され、ゲージ箱２の各居住空間２Ａ、２Ｂの開口２ａ１、２ａ２を開閉し、通風孔５ｂ１、６ｂ１が形成された分割蓋５、６とを備える。【選択図】図１
2011200154.tif 000002
【特許請求の範囲】
【請求項１】
試験用動物の出し入れ用の開口が形成され前記試験用動物が居住するゲージ箱を、区分けされた居住空間に仕切り、該居住空間間に貫通する貫通孔を有する仕切り部材と、
該仕切り部材に回転自在に接続され、前記ゲージ箱の居住空間の開口を開閉し、通風孔が形成された分割蓋とを
備えることを特徴とする動物用分割ゲージ蓋。
【請求項２】
前記分割蓋と前記仕切り部材とを接続するとともに、前記分割蓋と前記仕切り部材とが取付け、取り外しできる接続手段を備える
ことを特徴とする請求項１記載の動物用分割ゲージ蓋。
【請求項３】
前記分割蓋と前記仕切り部材とは、それぞれ金網を用いて形成した
ことを特徴とする請求項１または請求項２記載の動物用分割ゲージ蓋。
【請求項４】
試験用動物の出し入れ用の開口が形成され前記試験用動物が居住するゲージ箱を、第１と第２の居住空間とに仕切り、該第１と第２の居住空間間に貫通する貫通孔を有する仕切り部材と、
該仕切り部材に回転自在に接続され、前記ゲージ箱の第１の居住空間の開口を開閉し、通風孔が形成された第１分割蓋と、
前記仕切り部材に回転自在に接続され、前記ゲージ箱の第２の居住空間の開口を開閉し、通風孔が形成された第２分割蓋とを
備えることを特徴とする動物用分割ゲージ蓋。
【請求項５】
前記仕切り部材を外側方から内方に向け押圧して支持し、前記仕切り部材を前記ゲージ箱の内部に固定する固定手段を備える
ことを特徴とする請求項１から請求項４の何れか一項記載の動物用分割ゲージ蓋。
【請求項６】
前記固定手段は、
押圧部材と、該押圧部材を外側方から内方に向け押圧する押圧力付与部材とを有し、
前記押圧力付与部材が、前記押圧部材を外側方から内方に向け押圧することで、前記押圧部材で外側方から前記ゲージ箱を内方に向け押圧して前記ゲージ箱を弾性変形させることによって前記仕切り部材を支持し、前記仕切り部材を前記ゲージ箱の内部に固定する
ことを特徴とする請求項５記載の動物用分割ゲージ蓋。
【請求項７】
前記押圧部材の前記ゲージ箱に対する押圧面の面積は、前記押圧力付与部材の当該押圧部材に対する押圧面の面積より大きい
ことを特徴とする請求項６記載の動物用分割ゲージ蓋。
【請求項８】
前記固定手段は、
雌ネジが形成される押圧部材と、前記仕切り部材の一部に形成された雌ネジに螺入し貫通するとともに前記押圧部材の雌ネジに螺着される雄ネジが形成された押圧用ネジ部材とを有し、
前記押圧用ネジ部材が、前記仕切り部材の雌ネジに螺入し貫通することで、前記押圧部材の雌ネジに螺着した前記押圧部材で外側方から前記ゲージ箱を内方に向け押圧し前記ゲージ箱を弾性変形させることにより前記仕切り部材を支持し、前記仕切り部材を前記ゲージ箱の内部に固定する
ことを特徴とする請求項５記載の動物用分割ゲージ蓋。
【請求項９】
前記押圧部材の前記ゲージ箱を押圧する領域の面積は、前記押圧用ネジ部材の雄ネジの横断面の面積より大きい
ことを特徴とする請求項８記載の動物用分割ゲージ蓋。
【請求項１０】
前記仕切り部材は、前記ゲージ箱を仕切る居住空間の何れかに突出した形状を有する
ことを特徴とする請求項１から請求項９の何れか一項記載の動物用分割ゲージ蓋。
【請求項１１】
前記仕切り部材は、前記ゲージ箱を仕切る居住空間の何れかに突出した形状をもつ金網で形成される
ことを特徴とする請求項１０記載の動物用分割ゲージ蓋。
【請求項１２】
前記仕切り部材と第１分割蓋とを接続するとともに、前記仕切り部材と第１分割蓋とが取付け、取り外しできる第１接続手段と、
前記仕切り部材と第２分割蓋とを接続するとともに、前記仕切り部材と第２分割蓋とが取付け、取り外しできる第２接続手段とを
備えることを特徴とする請求項４から請求項１１の何れか一項記載の動物用分割ゲージ蓋。
【請求項１３】
前記仕切り部材と前記第１分割蓋と前記第２分割蓋とは、それぞれ金網を用いて形成した
ことを特徴とする請求項４から請求項１２の何れか一項記載の動物用分割ゲージ蓋。
【請求項１４】
請求項１から請求項１３の何れか一項記載の前記ゲージ箱および前記動物用分割ゲージ蓋を具備する動物用分割ゲージ。
【発明の詳細な説明】
【技術分野】
【０００１】
本発明は、動物間の感染等を試験するために用いられる動物用分割ゲージ蓋および動物用分割ゲージに関する。
【背景技術】
【０００２】
実験動物の研究・飼育管理において、げっ歯類動物を用いた感染実験や検疫は必須である。その際、感染動物から正常(非感染)動物に感染を伝播させることや、感染の伝播の有無を確認することが必要となる。ところが、試験用のマウスを用いる際、試験用のマウスがきれいなマウスでない(例えば、感染している)場合、誤った試験結果となる。
【０００３】
そのため、同一ゲージ内で試験用の動物と正常動物とを飼育する同居の感染実験を行い、正常動物が感染するか否かを確認し、試験用の動物の感染の有無を確認することが、誤りのない試験結果を得る最も確実な方法である。例えば、試験用のマウスが納められた際、試験用のマウスがきれいな(例えば、感染してない)マウスか否か確かめるため、きれいなことが確認されたマウスと納められた試験用のマウスとを同じ箱内で飼育する。この同居での飼育後、きれいなことが確認されていたマウスの試験を行い、当該マウスが初期状態と同じくきれいだった場合には、納められた試験用のマウスはきれいであると判断する一方、当該マウスが初期状態と異なり感染している場合には、納められた試験用のマウスは感染しているものと判断できる。
【０００４】
そこで、従来の同居の感染実験では、同一ゲージ内に感染動物と正常動物とを同居させ、餌、水はゲージの上に載置された網に取り付け、同居中の動物に与えるが、由来の異なるマウスを同一ゲージ内で飼育する場合、感染動物と正常動物との闘争、つまり喧嘩や囓り合いが起こり、実験が不可能となる。
そのため、非特許文献１のように、同一ゲージ内の感染動物と正常動物との間に仕切りを設けることが提案されている。
【先行技術文献】
【非特許文献】
【０００５】
【非特許文献１】「放射線科学」独立行政法人放射線医学総合研究所編、２００７．０８、第５０巻第８号、第１１頁
【発明の概要】
【発明が解決しようとする課題】
【０００６】
ところが、同一ゲージ内の感染動物と正常動物との間の仕切りを蓋に設ける場合、仕切りに対して動物が体当たりしたり、動物が仕切りを押したりするため、仕切りの固定が問題であった。そこで、ゲージ側に仕切り固定用の部材を設けて対処している。しかし、固定用の部材が新たに必要となることや、ゲージは多数使用されるため、仕切り固定用の部材の取扱いが厄介となっている。
【０００７】
本発明は上記実状に鑑み、動物の居住空間の仕切りのゲージへの固定が確実かつ容易で、汚れた木屑の交換作業が容易な取扱い性に優れる動物用分割ゲージ蓋および動物用分割ゲージの提供を目的とする。
【課題を解決するための手段】
【０００８】
上記目的を達成すべく、第１の本発明に関わる動物用分割ゲージ蓋は、試験用動物の出し入れ用の開口が形成され前記試験用動物が居住するゲージ箱を区分けされた居住空間に仕切り、該居住空間間に貫通する貫通孔を有する仕切り部材と、該仕切り部材に回転自在に接続され、前記ゲージ箱の各居住空間の開口を開閉し、通風孔が形成された分割蓋とを備えている。
【０００９】
第２の本発明に関わる動物用分割ゲージ蓋は、試験用動物の出し入れ用の開口が形成され前記試験用動物が居住するゲージ箱を、第１と第２の居住空間とに仕切り、該第１と第２の居住空間間に貫通する貫通孔を有する仕切り部材と、該仕切り部材に回転自在に接続され、前記ゲージ箱の第１の居住空間の開口を開閉し、通風孔が形成された第１分割蓋と、前記仕切り部材に回転自在に接続され、前記ゲージ箱の第２の居住空間の開口を開閉し、通風孔が形成された第２分割蓋とを備えている。
【００１０】
第３の本発明に関わる動物用分割ゲージは、第１の本発明または第２の本発明の前記ゲージ箱および前記動物用分割ゲージ蓋を具備している。
【発明の効果】
【００１１】
本発明によれば、動物の居住空間の仕切りのゲージへの固定が確実かつ容易で、汚れた木屑の交換作業が容易な取扱い性に優れる動物用分割ゲージ蓋および動物用分割ゲージを達成することが可能となる。
【図面の簡単な説明】
【００１２】
【図１】本発明に係る実施形態の分割ゲージ蓋を使用した動物検査用ゲージを示す斜視図である。
【図２】実施形態の動物検査用ゲージのゲージ箱と分割ゲージ蓋とを示す斜視図である。
【図３】実施形態の分割ゲージ蓋を下方から見た斜視図である。
【図４】実施形態のゲージ箱を上方から見た斜視図である。
【図５】実施形態の分割ゲージ蓋を裏返して置いた状態の斜視図である。
【図６】(ａ)は、実施形態の固定用チョウボルトが押圧部材に取り付けられた状態を示す斜視図であり、(ｂ)は、実施形態の固定用チョウボルトを示す斜視図であり、(ｃ)は、実施形態の押圧部材を示す斜視図である。
【図７】実施形態の動物検査用ゲージの使用状態を示す斜視図である。
【図８】変形例の仕切り固定部材を使用した分割ゲージ蓋を示す図３のＡ−Ａ線断面図である。
【図９】(ａ)は、変形形態１の分割ゲージ蓋における第１分割蓋と仕切り固定部材、および、第２分割蓋と仕切り固定部材とを取付け接続した状態を示す図であり、(ｂ)は、変形形態１の分割ゲージ蓋における第１分割蓋と仕切り固定部材とを取り外した状態を示す図である。
【図１０】変形形態２の動物検査用ゲージを斜め上方から見た斜視図である。
【発明を実施するための形態】
【００１３】
以下、本発明の実施形態について添付図面を参照して説明する。
＜実施形態の動物検査用ゲージ１の全体構成＞
図１は、本発明に係る実施形態の分割ゲージ蓋３を使用した動物検査用ゲージ１を示す斜視図である。
実施形態の動物検査用ゲージ(動物用分割ゲージ)１は、マウスなどのげっ歯類動物等を用いた感染実験や、検疫に使用される動物検査用カゴである。
動物検査用ゲージ１は、検査用の動物、木屑等の出し入れ口の開口２ａを上部に有する箱状のゲージ箱２と、ゲージ箱２の開口２ａを開閉するとともにゲージ箱２を２つの居住空間２Ａ、２Ｂに画成する分割ゲージ蓋３とを備える。
【００１４】
図２は、動物検査用ゲージ１のゲージ箱２と分割ゲージ蓋３とを示す斜視図であり、図３は、分割ゲージ蓋３を下方から見た斜視図である。図４は、実施形態のゲージ箱２を斜め上方から見た斜視図である。
図１、図４に示すゲージ箱２の内部は、分割ゲージ蓋３の仕切り板４ｂ(図３参照)によって、例えば感染動物が入れられる一方の居住空間２Ａと、正常動物が入れられる他方の居住空間２Ｂとに画成される。なお、一方の居住空間２Ａに正常動物を入れ、他方の居住空間２Ｂに感染動物を入れてもよいのは言うまでもない。
【００１５】
分割ゲージ蓋３には、一方の居住空間２Ａのための給水タンク８ａが、第１分割蓋５の給水取り付け孔５ｔ１(図２参照)に嵌入され取り付けられる。また、他方の居住空間２Ｂのための給水タンク８ｂが、第２分割蓋６の給水取り付け孔６ｔ１(図２参照)に嵌入され取り付けられる。
【００１６】
正常(非感染)動物のマウス、感染動物のマウスは、それぞれ給水タンク８ａ、８ｂ内の水を、給水タンク８ａ、８ｂの給水口８ａ１、８ｂ１から吸って飲む。
また、分割ゲージ蓋３には、一方の居住空間２Ａのためのエサ箱９ａが、第１分割蓋５のエサ箱取り付け孔５ｔ２(図２参照)に嵌入され取り付けられる。また、他方の居住空間２Ｂのためのエサ箱９ｂが、第２分割蓋６のエサ箱取り付け孔６ｔ２(図２参照)に嵌入され取り付けられる。
【００１７】
正常動物のマウス、感染動物のマウスは、それぞれエサ箱９ａ、９ｂの開口９ａ１、９ｂ１から、エサ箱９ａ、９ｂ内に置かれる餌(図示せず)をかじり、食べる。
図４に示すゲージ箱２は、例えば厚さ７ｍｍ程度のアルミニウム板を用いて、上部に開口２ａを有する箱状に深絞り成形などで製造される。なお、ゲージ箱２の母材としては、後記する弾性変形するものであれば、アルミニウム板以外のステンレス鋼板、メッキ鋼板、樹脂等を用いてもよく、材質は限定されない。
【００１８】
ゲージ箱２には、ゲージ箱２を整理用のラック(図示せず)に載置するための載置用凸部２ｔ１、２ｔ２、２ｔ３、２ｔ４が、側壁２ｓの各コーナ２ｓ１、２ｓ２、２ｓ３、２ｓ４に外方に突出し形成されている。これにより、ゲージ箱２の載置用凸部２ｔ１、２ｔ２、２ｔ３、２ｔ４を整理用のラックに載せ、複数(多数)の動物検査用ゲージ１を整理用のラックに多段に載置し整理することができる。
【００１９】
次に、分割ゲージ蓋３について詳細に説明する。
＜分割ゲージ蓋３＞
図５は、図２、図３に示す分割ゲージ蓋３を裏返して置いた状態の斜視図である。
図３、図５に示すように、分割ゲージ蓋３は、ゲージ箱２内を一方の居住空間２Ａと他方の居住空間２Ｂとに分ける仕切り固定部材４と、ゲージ箱２内の一方の居住空間２Ａの開口２ａ１を上から覆い開閉する蓋である第１分割蓋５とが、蝶番１３ａ、１３ｂをもって、互いに回転自在に接続されている。また、仕切り固定部材４と、ゲージ箱２内の他方の居住空間２Ｂの開口２ａ２を上から覆い開閉する蓋である第２分割蓋６とが、蝶番１４ａ、１４ｂをもって、互いに回転自在に接続されている。
【００２０】
つまり、分割ゲージ蓋３は、ゲージ箱２内を一方の居住空間２Ａと他方の居住空間２Ｂとに分ける仕切り固定部材４と、ゲージ箱２内の一方の居住空間２Ａの開口２ａ１を上から覆い開閉する第１分割蓋５と、ゲージ箱２内の他方の居住空間２Ｂの開口２ａ２を上から覆い開閉する第２分割蓋６とが、互いに回転自在に接続されている。
図２、図３に示す仕切り固定部材４は、例えばステンレスを用いて形成される。
【００２１】
図３に示す仕切り固定部材４は、細長い形状に形成される支持板４ａ(図２参照)と、支持板４ａの下面短手方向中央域(図３参照)に溶接して接合される仕切り板４ｂと、支持板４ａ(図５参照)の両端縁４ａ１、４ａ２の中央部にそれぞれ内方に向け形成された雌ネジにそれぞれ螺着される固定用チョウボルト１０ａ、１０ｂと、固定用チョウボルト１０ａ、１０ｂの雄ネジ１０ａ１、１０ｂ１の先端部にそれぞれ螺着する押圧部材１１ａ、１１ｂとを有している。
【００２２】
押圧部材１１ａ、１１ｂは、それぞれ螺着した固定用チョウボルト１０ａ、１０ｂによって内方に向け押圧されることにより、ゲージ箱２の一方の側板２ｙ１と他方の側板２ｙ２とをそれぞれ内方に向けて押圧し弾性変形させ、仕切り板４ｂを、一方の側板２ｙ１の弾性変形箇所と他方の側板２ｙ２の弾性変形箇所とで支持してゲージ箱２の内部に固定する。
図３に示す仕切り板４ｂは、矩形状の外枠を形成する外枠板４ｂ１に、貫通孔４ｂ３を有する金網４ｂ２がその周囲を溶接され形成されている。
【００２３】
図３に示す支持板４ａは、両端縁４ａ１、４ａ２がそれぞれ下方に向けて曲げ成形されている。
支持板４ａの一方の端縁４ａ１の中央には、外側から内方に向けて、固定用チョウボルト１０ａが螺着される雌ねじ４ｎ１が螺刻されている。同様に、支持板４ａの他方の端縁４ａ２の中央には、内方に向けて、固定用チョウボルト１０ｂが螺着される雌ねじ４ｎ２が螺刻されている。
【００２４】
図６(ａ)は、固定用チョウボルト１０ａ(１０ｂ)が押圧部材１１ａ(１１ｂ)に取り付けられた状態を示す斜視図であり、図６(ｂ)は、固定用チョウボルト１０ａ(１０ｂ)を示す斜視図であり、図６(ｃ)は、押圧部材１１ａ(１１ｂ)を示す斜視図である。
固定用チョウボルト１０ａと押圧部材１１ａとは、それぞれ固定用チョウボルト１０ｂ、押圧部材１１ｂと同様な構成であるので、固定用チョウボルト１０ａ、押圧部材１１ａについて説明し、固定用チョウボルト１０ｂ、押圧部材１１ｂについての説明は省略する。
【００２５】
図６(ｂ)に示すように、固定用チョウボルト１０ａは、雄ネジ１０ａ１と、ワッシャ部１０ａ２と、取っ手部１０ａ３とを有している。
図６(ｃ)に示すように、押圧部材１１ａは、例えばポリアセタール等の樹脂を用いて、短円柱様の形状に形成され、中央部に、図６(ａ)、(ｃ)に示すように、固定用チョウボルト１０ａの雄ネジ１０ａ１が螺着される雌ネジ１１ａ１が螺刻されている。
【００２６】
図５に示すように、固定用チョウボルト１０ａの雄ネジ１０ａ１を、支持板４ａの一方端縁４ａ１の雌ねじ４ｎ１に外側から内方に向け螺着した後に、押圧部材１１ａの雌ネジ１１ａ１(図６(ｃ)参照)に螺着させる。同様に、図５に示すように、固定用チョウボルト１０ｂの雄ネジ１０ｂ１を、支持板４ｂの一方端縁４ａ２の雌ねじ４ｎ２に外側から内方に向け螺着した後に、押圧部材１１ｂの雌ネジ１１ｂ１(図６(ｃ)参照)に螺着させる。
【００２７】
図３に示す第１分割蓋５は、例えばステンレスを用いて、分割ゲージ蓋３の中央側が開くコ字状に形成される外枠５ａに、通風孔５ｂ１をもつ金網５ｂを溶接して形成される。金網５ｂには、前記した給水取り付け孔５ｔ１およびエサ箱取り付け孔５ｔ２が形成されている。
第１分割蓋５は、仕切り固定部材４の支持板４ａに固定される蝶番１３ａ、１３ｂに溶接等により固定され、仕切り固定部材４に対して回転自在に取り付けられる。
【００２８】
これにより、仕切り固定部材４と第１分割蓋５とが、互いに回転自在に接続(構成)され、第１分割蓋５が、一方の居住空間２Ａの開口２ａ１を開閉する。
図３に示す第２分割蓋６は、例えばステンレスを用いて、分割ゲージ蓋３の中央側が開くコ字状に形成される外枠６ａに、通風孔６ｂ１をもつ金網６ｂを溶接して形成される。金網６ｂには、前記した給水取り付け孔６ｔ１およびエサ箱取り付け孔６ｔ２が形成されている。
【００２９】
第２分割蓋６は、仕切り固定部材４の支持板４ａに固定される蝶番１４ａ、１４ｂに溶接等により固定され、仕切り固定部材４に対して回転自在に取り付けられる。
これにより、仕切り固定部材４と第２分割蓋６とが、互いに回転自在に接続(構成)され、第２分割蓋６が、他方の居住空間２Ｂの開口２ａ２を開閉する。
ここで、図３に示す分割ゲージ蓋３の内側の長手方向の長さ寸法３ｓ１(分割ゲージ蓋３の長手方向の第１分割蓋５の外枠５ａの内面から第２分割蓋６の外枠６ａの内面間の長さ)は、図４に示すゲージ箱２の長手方向の外側の長さ寸法２ｒ１より大きく設定される。
【００３０】
また、図３に示す分割ゲージ蓋３の内側の短手方向の長さ寸法３ｓ２(分割ゲージ蓋３の短手方向の第１分割蓋５の外枠５ａの内面間の長さ、および、第２分割蓋６の短手方向の外枠６ａの内面間の長さ)は、図４に示すゲージ箱２の外側の短手方向の長さ寸法２ｒ２より大きく設定されている。
この寸法関係の設定により、図２に示すように、分割ゲージ蓋３をゲージ箱２の上部の周囲外側に載置することができる。
【００３１】
＜動物検査用ゲージ１の組立て＞
次に、図１に示す動物検査用ゲージ１の組立てについて説明する。なお、簡単のためにゲージ箱２(図４参照)に何も入れない状態での組立ての説明とする。
作業者は、まず、図６(ｂ)に示す固定用チョウボルト１０ａを、図５に示す分割ゲージ蓋３の支持板４ａの一方の端縁４ａ１の雌ネジ４ｎ１に外側から内側に向け螺入(螺着)し貫通させる。そして、一方の端縁４ａ１に螺入(螺着)し貫通させた固定用チョウボルト１０ａの雄ネジ１０ａ１に、押圧部材１１ａの雌ネジ１１ａ１(図６(ｃ)参照)を螺着する。
【００３２】
同様に、図６(ｂ)に示す固定用チョウボルト１０ｂを、図５に示す分割ゲージ蓋３の支持板４ａの他方の端縁４ａ２の雌ネジ４ｎ２に外側から内側に向け螺入(螺着)し貫通させる。そして、他方の端縁４ａ２に螺入(螺着)し貫通させた固定用チョウボルト１０ｂの雄ネジ１０ｂ１に、押圧部材１１ｂの雌ネジ１１ｂ１(図６(ｃ)参照)を螺着する。これにより、図５に示す分割ゲージ蓋３が得られる。
【００３３】
続いて、作業者は、図５に示す分割ゲージ蓋３を裏返し、図３に示す姿勢にし、ゲージ箱２(図４参照)の上に置くことで、図２に示す状態とする。
続いて、作業者は、図２の固定用チョウボルト１０ａを、取っ手部１０ａ３を持って分割ゲージ蓋３の支持板４ａの一方の端縁４ａ１へさらに螺入(螺着)し、固定用チョウボルト１０ａの雄ネジ１０ａ１に螺着した押圧部材１１ａの押圧面１１ａ２(図５参照)で、ゲージ箱２の一方の側板２ｙ１を内方に弾性変形させる。同様に、固定用チョウボルト１０ｂを、取っ手部１０ｂ３を持って分割ゲージ蓋３の支持板４ａの他方の端縁４ａ２へさらに螺入(螺着)し、固定用チョウボルト１０ｂの雄ネジ１０ｂ１に螺着した押圧部材１１ｂの押圧面１１ｂ２(図５参照)で、ゲージ箱２の他方の側板２ｙ２を内方に弾性変形させる。
【００３４】
これにより、一方の側板２ｙ１の内方への弾性変形箇所と他方の側板２ｙ２の内方への弾性変形箇所とで、分割ゲージ蓋３の仕切り板４ｂを、両外側方から押して支持しゲージ箱２の内部に固定する。この際、図６(ａ)に示す押圧部材１１ａ、１１ｂの各押圧面１１ａ２、１１ｂ２は、固定用チョウボルト１０ａ、１０ｂの雄ネジ１０ａ１、１０ｂ１の横断面より広い面積をもつので、ゲージ箱２の一方の側板２ｙ１と他方の側板２ｙ２とを広い面積で弾性変形させることができる。そのため、分割ゲージ蓋３の仕切り板４ｂを、ゲージ箱２の一方の側板２ｙ１の広い断面積の弾性変形箇所と他方の側板２ｙ２の広い断面積の弾性変形箇所とで確実に両外側方から把持(支持)し、固定することができる。
【００３５】
続いて、作業者は、ゲージ箱２の一方の居住空間２Ａのための給水タンク８ａ(図１参照)を、図２に示す第１分割蓋５の給水取り付け孔５ｔ１(図２参照)に嵌入し取り付けるとともに、ゲージ箱２の他方の居住空間２Ｂのための給水タンク８ｂ(図１参照)を、図２に示す第２分割蓋６の給水取り付け孔６ｔ１に嵌入し取り付ける。
【００３６】
また、作業者は、ゲージ箱２の一方の居住空間２Ａのためのエサ箱９ａ(図１参照)を、図２に示す第１分割蓋５のエサ箱取り付け孔５ｔ２(図２参照)に嵌入し取り付けるとともに、他方の居住空間２Ｂのためのエサ箱９ｂ(図１参照)を、図２に示す第２分割蓋６のエサ箱取り付け孔６ｔ２に嵌入し取り付ける。
以上で、図１に示す動物検査用ゲージ１の組み立てが完了する。
【００３７】
組み立て完了後、例えば、動物検査用ゲージ１(図１参照)の居住空間２Ａに、正常動物のマウスを入れる場合には、第１分割蓋５に取り付けた給水タンク８ａ、エサ箱９ａを外す。
そして、動物検査用ゲージ１の使用状態を表す図７に示すように、分割ゲージ蓋３の第１分割蓋５を上方に開き、木屑を下に敷いて正常動物のマウスを入れる。そして、上述と反対の手順、すなわち、分割ゲージ蓋３の第１分割蓋５を下方に閉じ、第１分割蓋５の給水取り付け孔５ｔ１に給水タンク８ａを取り付けるとともに、第１分割蓋５のエサ箱取り付け孔５ｔ２にエサ箱９ａを取り付け、図１に示す状態に戻す。
【００３８】
動物検査用ゲージ１(図１参照)の居住空間２Ｂに、感染動物のマウスを入れる場合には、同様にして、第２分割蓋６の給水タンク８ｂ、エサ箱９ｂを外す。
そして、分割ゲージ蓋３の第２分割蓋６を上方に開き、木屑を下に敷いて感染動物のマウスを入れる。そして、上述と反対の手順、すなわち、分割ゲージ蓋３の第２分割蓋６を下方に閉じ、第２分割蓋６の給水取り付け孔６ｔ１に給水タンク８ｂを嵌入し取り付けるとともに、第２分割蓋６のエサ箱取り付け孔６ｔ２にエサ箱９ｂを嵌入し取り付け、図１に示す状態に戻す。
【００３９】
ここで、動物検査用ゲージ１の居住空間２Ａから正常動物のマウスを出す場合や、動物検査用ゲージ１の居住空間２Ｂから感染動物のマウスを出す場合、動物検査用ゲージ１の居住空間２Ａ、２Ｂの木屑を交換する場合等も、上記と同様な手順で行うことができる。
なお、図２に示す状態で、分割ゲージ蓋３の第１分割蓋５を開閉して、正常動物のマウスや木屑等を出し入れしてもよいし、同様に、分割ゲージ蓋３の第２分割蓋６を開閉して、感染動物のマウスや木屑等を出し入れしてもよいのは勿論である。
【００４０】
＜作用効果＞
上記構成によれば、図３、図７に示すように、分割ゲージ蓋３において、仕切り板４ｂに対し、第１分割蓋５、第２分割蓋６がそれぞれ回転自在であるので、正常動物と感染動物とを同一居住空間におくことなく、例えば、居住空間２Ａまたは居住空間２Ｂの一つの居住空間の木屑等の取り換え、掃除が行える。そのため、ゲージ箱２に入れた動物間の闘争(喧嘩やかじり合い)を防止し、居住空間２Ａまたは居住空間２Ｂの各居住空間の手入れが行える。
【００４１】
また、居住空間２Ａ、２Ｂを隔てる仕切り板４ｂを、ゲージ箱２の一方の側板２ｙ１と他方の側板２ｙ２とを押圧部材１１ａ、１１ｂの各押圧面１１ａ２、１１ｂ２で両外側方から押圧して弾性変形させ支持し固定するので、確実かつ容易に固定できる。
この場合、図５に示すように、押圧部材１１ａ、１１ｂの各押圧面１１ａ２、１１ｂ２はそれぞれ固定用チョウボルト１０ａ、１０ｂの雄ネジ１０ａ１、１０ｂ１の横断面より広い面積を有するので、ゲージ箱２の側板２ｙ１、２ｙ２のそれぞれ弾性変形箇所の面積が広く、仕切り板４ｂをゲージ箱２の側板２ｙ１、２ｙ２の広い面積の弾性変形箇所で両外側方から押圧し支持できる。そのため、仕切り板４ｂをゲージ箱２内でさらに確実かつ容易に固定できる。
【００４２】
また、押圧部材１１ａ、１１ｂには、それぞれ固定用チョウボルト１０ａ、１０ｂの雄ネジ１０ａ１、１０ｂ１が螺着する雌ネジ１１ａ１、１１ｂ１が螺刻されるので、押圧部材１１ａ、１１ｂが固定用チョウボルト１０ａ、１０ｂに対して一定の相対位置となり、押圧部材１１ａ、１１ｂの各押圧面１１ａ２、１１ｂ２が、ゲージ箱２の側板２ｙ１、２ｙ２をそれぞれ傾くことなく一定姿勢で押圧できる。そのため、仕切り板４ｂをゲージ箱２内でより安定して固定できる。
【００４３】
また、押圧部材１１ａ、１１ｂが固定用チョウボルト１０ａ、１０ｂの雄ネジ１０ａ１、１０ｂ１に螺着されるので、分割ゲージ蓋３(図３、図５参照)を洗浄する場合などに押圧部材１１ａ、１１ｂが固定用チョウボルト１０ａ、１０ｂから外れることが防止され、分割ゲージ蓋３の取扱性が良好である。
従って、仕切り板４ｂのゲージ箱２内での固定が確実かつ容易で、汚れた木屑等の交換作業が容易な取扱い性に優れる分割ゲージ蓋３(動物用分割ゲージ蓋)および動物検査用ゲージ１(動物用分割ゲージ)を実現できる。
【００４４】
図８は、変形例の仕切り固定部材２４を使用した分割ゲージ蓋２３を示す図３のＡ−Ａ線断面図である。
図８に示すように、仕切り固定部材２４の仕切り板２４ｂの金網２４ｂ２を、ゲージ箱２の一方の居住空間２Ａと他方の居住空間２Ｂとのうち少なくとも何れかに突出して形成し、一方の居住空間２Ａと他方の居住空間２Ｂとの距離を適宜調整できる構成としている。なお、金網２４ｂ２を一方の居住空間２Ａと他方の居住空間２Ｂとの少なくとも何れかに突出して形成するのは、金網２４ｂ２の縦線、横線のうち少なくとも何れかでよい。なお、図８では、金網２４ｂ２の縦線を一方の居住空間２Ａと他方の居住空間２Ｂとに突出して形成した場合を示している。
この構成によれば、一方の居住空間２Ａと他方の居住空間２Ｂとの距離を任意に調整できる効果を奏する。
【００４５】
＜変形形態１＞
次に、変形形態１について、説明する。
変形形態１は、図９(ａ)に示す分割ゲージ蓋１０３において、第１分割蓋１０５および第２分割蓋１０６を、仕切り固定部材１０４に取付ける蝶番１１３ａ、１１３ｂおよび蝶番１１４ａ、１１４ｂを、第１分割蓋１０５および第２分割蓋１０６と仕切り固定部材１０４とがそれぞれ取り外し、取り付けできる構成としたものである(図９(ｂ)参照)。
なお、図９(ａ)は、変形形態１の分割ゲージ蓋１０３における第１分割蓋１０５と仕切り固定部材１０４、および、第２分割蓋１０６と仕切り固定部材１０４とを取付け接続した状態を示す図であり、図９(ｂ)は、変形形態１の分割ゲージ蓋１０３における第１分割蓋１０５と仕切り固定部材１０４を取り外した状態を示す図である。
【００４６】
図９(ｂ)に示すように、仕切り固定部材１０４には、蝶番(接続手段、第２接続手段)１１３ａ(図９(ａ)参照)を構成する片側蝶番１１３ａ１が溶接等により固定されるとともに、蝶番１１３ｂ(図９(ａ)参照)を構成する片側蝶番１１３ｂ１が溶接等により固定されている。また、仕切り固定部材１０４には、蝶番(接続手段、第２接続手段)１１４ａ(図９(ａ)参照)を構成する片側蝶番１１４ａ１が溶接等により固定されるとともに、蝶番１１４ｂ(図９(ａ)参照)を構成する片側蝶番１１４ｂ１が溶接等により固定されている。
一方、第１分割蓋１０５には、蝶番１１３ａを構成する片側蝶番１１３ａ２が溶接等により固定されるとともに、蝶番１１３ｂを構成する片側蝶番１１３ｂ２が溶接等により固定されている。
また、第２分割蓋１０６には、蝶番１１４ａを構成する片側蝶番１１４ａ２が溶接等により固定されるとともに、蝶番１１４ｂを構成する片側蝶番１１４ｂ２が溶接等により固定されている。
【００４７】
仕切り固定部材１０４と第１分割蓋１０５との接続は、下記のように行われる。
図９(ｂ)に示すように、仕切り固定部材１０４に固定された片側蝶番１１３ａ１、片側蝶番１１３ｂ１に、第１分割蓋１０５に固定された片側蝶番１１３ａ２、片側蝶番１１３ｂ２を、図９(ｂ)の矢印α１方向に、スライドさせて嵌入し、図９(ａ)に示すように、仕切り固定部材１０４と第１分割蓋１０５とを接続し、互いに回転自在とする。
同様に、図示しないが、仕切り固定部材１０４に固定された片側蝶番１１４ａ１、片側蝶番１１４ｂ１に、第２分割蓋１０６に固定された片側蝶番１１４ａ２、片側蝶番１１４ｂ２を、図９(ｂ)の矢印α１方向に、スライドさせて嵌入し、図９に示すように、仕切り固定部材１０４と第２分割蓋１０６とを接続し、互いに回転自在とする。
【００４８】
図９(ａ)に示す仕切り固定部材１０４と第１分割蓋１０５とを取り外すに際しては、下記のように行われる。
仕切り固定部材１０４から、第１分割蓋１０５を、図９(ａ)の矢印α２方向にスライドさせて、仕切り固定部材１０４の片側蝶番１１３ａ１、１１３ｂ１と第１分割蓋１０５の片側蝶番１１３ａ２、１１３ｂ２とを外し、図９(ｂ)に示す状態とする。
【００４９】
同様に、図示しないが、図９(ａ)に示す仕切り固定部材１０４と第２分割蓋１０６とを取り外すに際しては、第２分割蓋１０６を、図９(ａ)の矢印α２方向にスライドさせて、仕切り固定部材１０４の片側蝶番１１４ａ１、１１４ｂ１と第２分割蓋１０６の片側蝶番１１４ａ２、１１４ｂ２とを外す。
変形形態１によれば、第１分割蓋１０５、第２分割蓋１０６を仕切り固定部材１０４からそれぞれ取り外し、取り付け可能であるので、取扱い性が向上する。
また、分割ゲージ蓋１０３において、仕切り固定部材１０４から、第１分割蓋１０５や第２分割蓋１０６が取り外し、取り付けできるので、メンテナンスに際して、第１分割蓋１０５や第２分割蓋１０６、仕切り固定部材１０４の交換が行える。
【００５０】
＜変形形態２＞
次に、変形形態２について、図１０を用いて説明する。なお、図１０は、変形形態２の動物検査用ゲージ２０１を斜め上方から見た斜視図である。
変形形態２の動物検査用ゲージ２０１は、実施形態の分割ゲージ蓋３と同様な構成の分割ゲージ蓋２０３の仕切り固定部材２０４(２０４ａ、２０４ｂ、…、２０４ｅ)と、第１分割蓋２０５(２０５ａ、２０５ｂ、…、２０５ｅ)と、第２分割蓋２０６(２０６ａ、２０６ｂ、…、２０６ｅ)とを、それぞれ複数(多数)設けたものである。
【００５１】
動物検査用ゲージ２０１においては、仕切り固定部材２０４(２０４ａ、２０４ｂ、…、２０４ｅ)は、一体的に構成されている。
ゲージ箱２０２において、仕切り固定部材２０４ａ、２０４ｂ、…、２０４ｅはそれぞれ、居住空間２０２Ａ１と居住空間２０２Ｂ１、居住空間２０２Ａ２と居住空間２０２Ｂ２、……、居住空間２０２Ａ５と居住空間２０２Ｂ５をそれぞれ区分けする。
【００５２】
そして、ゲージ箱２０２における居住空間２０２Ａ１、２０２Ａ２、２０２Ａ３、２０２Ａ４、２０２Ａ５のそれぞれの境界には、各居住空間２０２Ａ１、２０２Ａ２、２０２Ａ３、２０２Ａ４、２０２Ａ５をそれぞれ隔てる図示しない隔壁が形成されている。同様に、居住空間２０２Ｂ１、２０２Ｂ２、２０２Ｂ３、２０２Ｂ４、２０２Ｂ５のそれぞれの境界には、各居住空間２０２Ｂ１、２０２Ｂ２、２０２Ｂ３、２０２Ｂ４、２０２Ｂ５をそれぞれ隔てる図示しない隔壁が形成されている。
【００５３】
そして、第１分割蓋２０５(２０５ａ、２０５ｂ、…、２０５ｅ)は、それぞれ仕切り固定部材２０４(２０４ａ、２０４ｂ、…、２０４ｅ)に対して回動して、居住空間２０２Ａ１、２０２Ａ２、２０２Ａ３、２０２Ａ４、２０２Ａ５の開口(図示せず)をそれぞれ開閉する。
また、第２分割蓋２０６(２０６ａ、２０６ｂ、…、２０６ｅ)は、それぞれ仕切り固定部材２０４(２０４ａ、２０４ｂ、…、２０４ｅ)に対して回動して、居住空間２０２Ｂ１、２０２Ｂ２、２０２Ｂ３、２０２Ｂ４、２０２Ｂ５の開口(図示せず)をそれぞれ開閉する。
【００５４】
変形形態２によれば、居住空間２０２Ａ(２０２Ａ１、２０２Ａ２、２０２Ａ３、２０２Ａ４、２０２Ａ５)、居住空間２０２Ｂ(２０２Ｂ１、２０２Ｂ２、２０２Ｂ３、２０２Ｂ４、２０２Ｂ５)を複数画成でき、様々な感染実験や、検疫を行うことが可能である。
なお、変形形態２においては、１０の居住空間を形成した場合を例示したが、居住空間の数は、１０に限定されず、適宜選択可能であるのは勿論である。
また、変形形態２においては、第１分割蓋２０５または第２分割蓋２０６で一つの居住空間の開口を開閉する場合を例示したが、複数の居住空間の開口を開閉するように構成してもよい。
【００５５】
なお、前記実施形態においては、固定手段として、ネジによって押圧部材１１ａ、１１ｂでゲージ箱２の側板２ｙ１、２ｙ２を押圧よる構成を例示したが、これに代えて、バネ等の弾性をもつ弾性材の弾性力を利用してゲージ箱２の側板２ｙ１、２ｙ２を押圧してもよく、押圧力を用いた固定手段であれば、その実現態様は限定されない。
【００５６】
また、前記実施形態においては、分割ゲージ蓋３を金網で形成した場合を例示したが、分割ゲージ蓋３と同様な貫通孔４ｂ３、通風孔５ｂ１、６ｂ１を形成できれば、樹脂等で形成してもよく、分割ゲージ蓋３が金網で形成されることに限定されないのは勿論である。
なお、前記実施形態においては、ゲージ箱２の側板２ｙ１、２ｙ２を両外側方から押圧して弾性変形させて、仕切り板４ｂを支持する構成を例示したが、ゲージ箱２の側板２ｙ１、２ｙ２の何れか一方を外側方から内方に向け押圧して弾性変形させて、仕切り板４ｂを支持する構成としてもよい。
【００５７】
また、前記実施形態においては、分割ゲージ蓋３の構成法として溶接を例示したが、ネジによる結合、分割ゲージ蓋３に樹脂材料を用いた弾性変形による結合等、分割ゲージ蓋３の構成法として溶接に限定されず、適宜選択可能であることは勿論である。
また、前記実施形態においては、仕切り板４ｂを、ゲージ箱２の側板２ｙ１、２ｙ２を弾性変形させることで支持し固定する構成を例示したが、ゲージ箱２の側板２ｙ１、２ｙ２を弾性変形させることなく、ボルト、押圧部材等の何等かの固定手段で直接押圧する構成としてもよい。このように、仕切り板４ｂを外側方から内方に向けて押圧して支持すれば、その構成は適宜選択可能である。
【符号の説明】
【００５８】
１      動物検査用ゲージ(動物用分割ゲージ)
２      ゲージ箱(固定手段)
２ａ    開口
２ａ１  一方の居住空間２Ａの開口(第１の居住空間の開口)
２ａ２  他方の居住空間２Ｂの開口(第２の居住空間の開口)
２Ａ    一方の居住空間(居住空間、第１の居住空間)
２Ｂ    他方の居住空間(居住空間、第２の居住空間)
３      分割ゲージ蓋(動物用分割ゲージ蓋)
４      仕切り固定部材(仕切り部材)
４ｂ    仕切り板(仕切り部材)
４ｂ３  貫通孔
５      第１分割蓋(分割蓋)
５ｂ１  通風孔(分割蓋の通風孔、第１分割蓋の通風孔)
６      第２分割蓋(分割蓋)
６ｂ１  通風孔(分割蓋の通風孔、第２分割蓋の通風孔)
１０ａ、１０ｂ  固定用チョウボルト(固定手段、押圧用ネジ部材、押圧力付与部材)
１０ａ１、１０ｂ１  固定用チョウボルトの雄ネジ(押圧用ネジ部材の雄ネジ)
１１ａ、１１ｂ  押圧部材(固定手段)
１１ａ１、１１ｂ１  押圧部材の雌ネジ(押圧部材の押圧用雌ネジ)
２４    仕切り固定部材(請求項７の仕切り部材)
２４ｂ２  金網(居住空間の何れかに突出した形状)
１１３ａ、１１３ｂ  蝶番(接続手段、第１接続手段)
２０１  動物検査用ゲージ(動物用分割ゲージ)
【図１】
2011200154.tif 000003
【図２】
2011200154.tif 000004
【図３】
2011200154.tif 000005
【図４】
2011200154.tif 000006
【図５】
2011200154.tif 000007
【図６】
2011200154.tif 000008
【図７】
2011200154.tif 000009
【図８】
2011200154.tif 000010
【図９】
2011200154.tif 000011
【図１０】
2011200154.tif 000012